(57)【要約】【課題】グロープラグから燃料噴射装置への伝熱量を増加させることで、エンジン停止後に、燃料噴射装置への結露を防止し、燃料噴射装置の腐食を防止できる内燃機関を提供する。【解決手段】内燃機関１の燃焼室５に燃料Ｆを噴射する燃料噴射装置１０とグロープラグ１１をシリンダヘッド２に備える内燃機関において、シリンダヘッド２における燃料噴射装置１０の噴射口１０ａとグロープラグ１１の加熱部１１ａの間に熱放射伝熱用空間２０ａを形成して構成する。【選択図】図１
2018080603.tif 000002
【特許請求の範囲】
【請求項１】
内燃機関の燃焼室に燃料を噴射する燃料噴射装置とグロープラグをシリンダヘッドに備える内燃機関において、
前記シリンダヘッドにおける前記燃料噴射装置の噴射口と前記グロープラグの加熱部の間に熱放射伝熱用空間を形成して構成される内燃機関。
【請求項２】
前記内燃機関を制御する制御装置を備えて、
該制御装置が、
前記内燃機関が現時点から予め設定した停止猶予時間閾値内に停止すると判定したときに、この判定時点から、前記内燃機関の停止後に、予め設定した第１設定時間を経過するまで、前記グロープラグを作動させる制御を行うように構成されている請求項１に記載の内燃機関。
【請求項３】
前記内燃機関の冷却媒体の温度を検出する冷却媒体用温度検出装置を備えて、
前記制御装置が、
前記冷却媒体用温度検出装置の検出値が予め設定した設定温度閾値以下であるときに、前記グロープラグを作動させるとともに、前記グロープラグの作動開始後に前記冷却媒体用温度検出装置の検出値が前記設定温度閾値を超えるか、または、前記グロープラグの作動開始後に、予め設定した第２設定時間を経過するときに、前記グロープラグを停止させる制御を行うように構成されている請求項１または２に記載の内燃機関。
【請求項４】
前記制御装置が、
前記内燃機関のアイドル運転状態の連続時間が予め設定したアイドル連続時間閾値以上であるときに、前記グロープラグを作動開始させるとともに、前記グロープラグの作動開始後に、予め設定した第３設定時間を経過するときに、前記グロープラグを停止させる制御を行うように構成されている請求項１〜３のいずれか一項に記載の内燃機関。
【請求項５】
前記制御装置が、
前記内燃機関の停止後、前記グロープラグを予め設定した設定回数作動させるとともに、該設定回数の各回における前記グロープラグの作動時間と前記設定回数を、前記内燃機関の停止直前のエンジン回転数、燃料噴射量、吸気温度、燃料温度及び冷却媒体の温度の内、１つ以上のパラメータに基づいて算出する制御を行うように構成されている請求項１〜４のいずれか一項に記載の内燃機関。
【発明の詳細な説明】
【技術分野】
【０００１】
本発明は、内燃機関に関する。
【背景技術】
【０００２】
ディーゼルエンジン等の内燃機関では、気筒（シリンダ）内の燃焼室に燃料を噴射する燃料噴射装置がガスケット等の密封部材を介してシリンダヘッドに配置されている。密封部材には高熱伝導率の部材が使用されることが多いため、内燃機関の停止時には、燃料噴射装置が有する熱が密封部材を介してシリンダヘッドに容易に伝導してしまい、燃料噴射装置の温度がピストン等の他の周辺部品の温度よりも大きく低下することがある。その結果、気筒内に滞留したガスが燃料噴射装置に接触することにより、ガスに含まれる水蒸気成分が燃料噴射装置に結露して、この結露水が燃料噴射装置を腐食させる虞があった。
【０００３】
また、これに関連して、エンジン停止後に、グロープラグを目標通電時間だけ通電させて、インジェクタの噴孔が凝縮水によって腐食されるのを抑えるグロープラグの制御装置が提案されている（例えば、特許文献１参照）。
【先行技術文献】
【特許文献】
【０００４】
【特許文献１】特開２０１４−１９６８５３号公報
【発明の概要】
【発明が解決しようとする課題】
【０００５】
ところで、上記のグロープラグの制御装置では、エンジン停止後にグロープラグへの通電を行っているため、グロープラグの耐久性が悪化したり、グロープラグに接続されるバッテリの消費電力量が大きくなったり、燃料が付着している燃料噴射装置を加熱することで燃料噴射装置へのデポジットの堆積を招いたりする虞がある。
【０００６】
また、本発明者は、そもそも、グロープラグから燃料噴射装置への伝熱について未だ向上の余地があり、この伝熱量を増加させて、エンジン停止後の燃料噴射装置の温度が他の周辺部品よりも高い温度である時間を長くすることで、燃料噴射装置への結露を防止し、燃料噴射装置の腐食を防止できると考えた。
【０００７】
本発明の目的は、グロープラグから燃料噴射装置への伝熱量を増加させることで、エンジン停止後に、燃料噴射装置への結露を防止し、燃料噴射装置の腐食を防止できる内燃機関を提供することにある。
【課題を解決するための手段】
【０００８】
上記の目的を達成するための本発明の内燃機関は、内燃機関の燃焼室に燃料を噴射する燃料噴射装置とグロープラグをシリンダヘッドに備える内燃機関において、前記シリンダヘッドにおける前記燃料噴射装置の噴射口と前記グロープラグの加熱部の間に熱放射伝熱用空間を形成して構成される。
【発明の効果】
【０００９】
本発明の内燃機関によれば、シリンダヘッドより突出しているグロープラグの加熱部から燃料噴射装置の噴射口への熱放射（輻射）による伝熱に加えて、シリンダヘッドに設けた熱放射伝熱用空間内を通過させての熱放射による伝熱を行って、燃料噴射装置を加熱するので、燃料噴射装置をより高温化することができる。
【００１０】
その結果、エンジン停止時に、グロープラグで燃料噴射装置を加熱する場合、グロープラグの加熱部から燃料噴射装置の噴射口へ非常に効率よく伝熱できるので、エンジン停止後の燃料噴射装置の温度が他の周辺部品よりも高温である時間を長くすることができ、燃料噴射装置への結露を防止し、燃料噴射装置の腐食を防止できる。
【図面の簡単な説明】
【００１１】
【図１】本発明の内燃機関の燃料噴射装置周辺の構成を示す図である。
【図２】本発明の内燃機関を制御するための制御フローの一例を示す図である。
【図３】本発明の内燃機関を制御するための制御フローの別の例を示す図である。
【図４】本発明の内燃機関を制御するための制御フローの別の例を示す図である。
【図５】本発明の内燃機関を制御するための制御フローの別の例を示す図である。
【発明を実施するための形態】
【００１２】
以下、本発明に係る実施の形態の内燃機関について、図面を参照しながら説明する。図１に示すように、本発明のエンジン（内燃機関）１は、シリンダヘッド２に燃料噴射装置１０とグロープラグ１１を備える。
【００１３】
燃料噴射装置１０は、シリンダヘッド２と気筒（シリンダ）３とピストン４の間に形成された空間である燃焼室５に噴射口１０ａより燃料Ｆを噴射する装置である。噴射口１０ａは、燃料噴射装置１０のスリーブ１０ｂの先端に備わり、シリンダヘッド２より燃焼室５に向って突出している。なお、燃料噴射装置１０とシリンダヘッド２は、ガスケット（密封部材）（図示しない）を介して接続されている。
【００１４】
グロープラグ１１は、エンジン１の始動時等で、燃焼室５内のガス（新気＋ＥＧＲガス）の温度が低く、気筒３内での圧縮着火が起こりづらいときに、燃焼室５内のガスを圧縮着火が可能な温度まで加熱部１１ａにより加熱して昇温させる着火補助装置である。
【００１５】
加熱部１１ａは、グロープラグ１１の先端に備わり、後述する制御装置４０の制御信号に基づいて、グロープラグ１１に接続されるバッテリ（図示しない）より供給された電気エネルギーを熱エネルギーに変換するヒーターコイル（図示しない）を備えた部位である。また、加熱部１１ａは、シリンダヘッド２より突出しており、その一部は燃料噴射装置１０の噴射口１０ａに対向している。
【００１６】
なお、図１に示すように、シリンダヘッド２より燃焼室５に向って突出した一部の加熱部１１ａが、噴射口１０ａに近い位置で面していればよく、必ずしも、加熱部１１ａの軸線上に噴射口１０が位置する必要はない。また、加熱部１１ａの最先端部と噴射口１０ａの間の距離は、エンジン１の種類にもよるが、４ｍｍ〜５ｍｍ程度である。また、グロープラグ１１の作動時には、加熱部１１ａは７００℃〜８００℃程度まで昇温される。また、グロープラグ１１を作動させた場合、このグロープラグ１１からの放熱により、燃料噴射装置１０だけでなく、シリンダヘッド２やシリンダブロック等の周辺部品も昇温するが、シリンダヘッド２やシリンダブロックは熱容量が大きい上に、これらのシリンダヘッド２やシリンダブロックの内部を流れるエンジン冷却水Ｗによる冷却もあるため、温度が上がり難い。これに対して、燃料噴射装置１０の噴射口１１ａの熱容量は小さく、シリンダヘッド２内のエンジン冷却水Ｗの流通路（図示しない）からも離れているので、温度が上がり易い。すなわち、エンジン１の停止時等にグロープラグ１１を作動させると、グロープラグ１１からの熱放射により、燃料噴射装置１０はシリンダヘッド２等の他の周辺部品よりも高温となる。
【００１７】
本発明のエンジン１では、燃料噴射装置１０とグロープラグ１１の加熱部１１ａの間のシリンダヘッド２に溝等で形成される熱放射伝熱用空間２０ａを設けて構成する。この熱放射伝熱用空間２０ａは、シリンダヘッド２において、燃料噴射装置１０の噴射口１０ａとグロープラグ１１の加熱部１１ａの間に幅が４ｍｍ〜５ｍｍ程度、深さが０．５ｍｍ〜１ｍｍ程度の溝を形成することで非常に簡単に設けることができる。なお、溝以外にもシリンダヘッド２に鋳造工程で、熱放射伝熱用空間２０ｂを形成してもよい。
【００１８】
この構成によれば、グロープラグ１１の加熱部１１ａの燃料噴射装置１０の噴射口１０ａへ対向している面積と、噴射口１０ａの加熱部１１ａへ対向している面積とが、熱放射伝熱用空間２０ａの分だけ大きくなり、また、熱放射伝熱用空間２０ａにおける空間部分により遮蔽されることなく直接的に熱放射を受けられるので、熱放射による伝熱量を著しく増加できる。従って、この増加した伝熱量により、燃料噴射装置１０をより効率よく加熱して高温にすることができる。なお、この熱放射による伝熱は、放熱側の絶対温度の４乗と受熱側の絶対温度の４乗の差に比例するので、約７００℃(絶対温度では約９７３Ｋ)以上にもなるグロープラグの加熱部からの熱放射による伝熱量は非常に大きいものとなる。さらに、シリンダヘッド２に熱放射伝熱用空間２０ａを設けることにより、熱放射伝熱用空間２０ａのガスの対流によっても、加熱部１１ａの熱が噴射口１０ａに伝熱されるという効果がある。
【００１９】
その結果、エンジン１の停止時に、グロープラグ１１で燃料噴射装置１０を加熱する場合、エンジン１の停止後の燃料噴射装置１０の温度が他の周辺部品よりも高温である時間を長くすることができ、燃料噴射装置１０への結露を防止し、燃料噴射装置１０の腐食を防止できる。
【００２０】
また、図示しないが、熱放射伝熱用空間２０ａと面する部分以外の燃料噴射装置１０のスリーブ１０ｂの周辺に、ガスケットとは別に、断熱材を設けて、この断熱材により燃料噴射装置１０の急激な温度低下を抑制することが好ましい。また、図示しないが、熱放射伝熱用空間２０ａと面する部分以外の燃料噴射装置１０のスリーブ１０ｂの周辺に、ガスケットとは別に、ドーナツ状のヒーターを設けて、エンジン１の停止時等、このヒーターを作動させることで、燃料噴射装置１０の昇温を補助するようにしてもよい。
【００２１】
また、本発明のエンジン１では、このエンジン１を制御する制御装置４０を備えて、この制御装置４０が、エンジン１が現時点から予め設定した停止猶予時間閾値ｔｅ内に停止すると判定したときに、この判定時点から、エンジン１の停止後予め設定した第１設定時間ｔ１を経過するまで、グロープラグ１１を作動させる制御を行うように構成してもよい。すなわち、エンジン１の停止前から停止後にかけて、グロープラグ１１を時間ｔｅ＋ｔ１だけ作動させて、燃料噴射装置１０を加熱して昇温させる制御を行う。
【００２２】
そして、この判定は、例えば、アクセル開度の変化やギヤシフトやエンジン回転数の低下度合などから判定する。また、停止猶予時間閾値ｔｅ及び第１設定時間ｔ１は、それぞれ、実験等により最適値に設定されるが、例えば、停止猶予時間閾値ｔｅは数秒〜数十秒、第１設定時間ｔ１は数秒から数十秒に設定される。また、エンジン１の停止前の作動時間ｔｅと停止後の作動時間（ｔ１−ｔｅ）が略均等になるように設定することが、より好ましい。
【００２３】
この制御装置４０は、より詳細には、エンジン回転数や燃料噴射量等のエンジン運転状態を表すパラメータ等に基づいて、燃料噴射装置１０からの燃料Ｆの噴射時期や噴射量、グロープラグ１１の加熱時期や加熱量等を制御する装置である。
【００２４】
この制御装置４０が行う制御を制御フローの形で表すと、図２に示す制御フローのようになる。この制御フローは、エンジン１の運転中に予め設定した制御時間が経過する度に上級の制御フローより呼ばれてスタートする制御フローである。
【００２５】
図２の制御フローがスタートすると、ステップＳ１０にて、エンジン１が現時点から予め設定した停止猶予時間閾値ｔｅ内に停止するか否か、すなわち、エンジン１が近時中に停止するか否かを判定する。エンジン１が近時中に停止すると判定した場合（ＹＥＳ）には、ステップＳ２０に進み、ステップＳ２０にて、グロープラグ１１を作動させて加熱を開始する。作動開始後、ステップＳ３０に進む。一方、エンジン１が近時中に停止しないと判定した場合（ＮＯ）には、リターンに進んで、本制御フローを終了する。
【００２６】
ステップＳ１０からステップＳ２０を経由してステップＳ３０に進んだ場合、ステップＳ３０にて、エンジン１の停止後予め設定した第１設定時間ｔ１を経過したか否か、すなわち、グロープラグ１１の作動時間が所定時間ｔｅ＋ｔ１を経過したか否かを判定する。グロープラグ１１の作動時間が所定時間ｔｅ＋ｔ１を経過していない場合（ＮＯ）には、グロープラグ１１の作動を継続し、その後、再度ステップＳ３０の判定を行う。グロープラグ１１の作動時間が所定時間ｔｅ＋ｔ１を経過した場合（ＹＥＳ）には、ステップＳ４０に進み、ステップＳ４０にて、グロープラグ１１の作動を停止する。作動停止後は、リターンに進んで、本制御フローを終了する。
【００２７】
なお、グロープラグ１１の作動時間が所定時間ｔｅ＋ｔ１を経過する前に、エンジン１０が運転開始した場合には、グロープラグ１１の作動を停止して、エネルギーの効率的な利用を図ってもよい。
【００２８】
この構成によれば、エンジン１の停止後だけでなく、エンジン１の停止前もグロープラグ１１の作動を行うので、燃料Ｆの付着が少ない燃料噴射装置１０への加熱により燃料噴射装置１０へのデポジットの堆積を少なくすることができる。また、燃焼室５内での燃焼が継続しているときにグロープラグ１１で燃料噴射装置１０を加熱するので、燃料噴射装置１０をより効率よく高い温度にすることができる。これにより、シリンダヘッド２の温度に対して燃料噴射装置１０の温度をより高い温度にすることができるので、燃料噴射装置１０での結露防止に非常に有効である。
【００２９】
また、エンジン１の停止前だけでなく、エンジン１の停止後もグロープラグ１１の作動を行うので、エンジン１の停止後において、シリンダヘッド２の温度が低下するのに対して、燃料噴射装置１０が低温となるのを抑制することができる。その結果、気筒３内に滞留したガスに含まれる水蒸気成分は燃料噴射装置１０より低温の他の周辺部品に結露することとなるので、燃料噴射装置１０への結露を防止し、燃料噴射装置１０の腐食を防止できる。
【００３０】
また、本発明のエンジン１では、エンジン冷却水（エンジン１の冷却媒体）Ｗの温度を検出するエンジン冷却水用温度センサ（冷却媒体用温度検出装置）（図示しない）を備えて、制御装置４０が、エンジン冷却水用温度センサの検出値Ｔｗが予め設定した設定温度閾値Ｔ１以下であるときに、グロープラグ１１を作動開始させるとともに、グロープラグ１１の作動開始後にエンジン冷却水用温度センサの検出値Ｔｗが設定温度閾値Ｔ１を超えるか、または、グロープラグ１１の作動開始後に予め設定した第２設定時間ｔ２を経過するかするときに、グロープラグ１１を停止させる制御を行うように構成してもよい。設定温度閾値Ｔ１及び第２設定時間ｔ２は、それぞれ、実験等により最適値に設定されるが、例えば、設定温度閾値Ｔ１は数℃〜数十℃、第２設定時間ｔ２は数秒〜数十秒に設定するのが好ましい。
【００３１】
なお、設定温度閾値Ｔ１より高い値である第２設定温度閾値Ｔ２を予め設定して、エンジン冷却水用温度センサの検出値Ｔｗが、設定温度閾値Ｔ１ではなく第２設定温度閾値Ｔ２を超えたときに、グロープラグ１１を停止させる制御を行うように構成すると、設定温度閾値Ｔ１の境界付近でグロープラグ１１の作動及び停止を繰り返すことがないため、グロープラグ１１の耐久性の低下を抑制することができる。
【００３２】
この制御装置４０が行う制御を制御フローの形で表すと、図３に示す制御フローのようになる。この制御フローは、エンジン１の運転中に予め設定した制御時間が経過する度に上級の制御フローより呼ばれてスタートする制御フローである。
【００３３】
図３の制御フローがスタートすると、ステップＳ１０にて、エンジン冷却水用温度センサの検出値Ｔｗが予め設定した設定温度閾値Ｔ１以下であるか否かを判定する。エンジン冷却水用温度センサの検出値Ｔｗが設定温度閾値Ｔ１以下である場合（ＹＥＳ）には、ステップＳ２０に進み、ステップＳ２０にて、グロープラグ１１を作動開始する。作動開始後、ステップＳ３０に進む。一方、エンジン冷却水用温度センサの検出値Ｔｗが設定温度閾値Ｔ１を超えている場合（ＮＯ）には、リターンに進んで、本制御フローを終了する。
【００３４】
ステップＳ１０からステップＳ２０を経由してステップＳ３０に進んだ場合、ステップＳ３０にて、エンジン冷却水用温度センサの検出値Ｔｗが設定温度閾値Ｔ１を超えたか否か、または、グロープラグ１１の作動開始後に、予め設定した第２設定時間ｔ２を経過したか否か、すなわち、グロープラグ１１の停止条件が成立したか否かを判定する。グロープラグ１１の停止条件が成立していない場合（ＮＯ）には、グロープラグ１１の作動を継続し、その後、再度ステップＳ３０の判定を行う。グロープラグ１１の停止条件が成立した場合（ＹＥＳ）には、ステップＳ４０に進み、ステップＳ４０にて、グロープラグ１１の作動を停止する。作動停止後は、リターンに進んで、本制御フローを終了する。
【００３５】
この構成によれば、エンジン１の始動時や長時間(例えば、１，０００ｓ〜２，０００ｓなど)のアイドリング時等で、エンジン１が温度低下し、エンジン冷却水等の冷却媒体Ｗの温度が低くなってしまうときに、グロープラグ１１を作動させて、燃料噴射装置１０を加熱して昇温させるので、燃料噴射装置１０の温度が他の周辺部品よりも低温となるのを抑制することができる。その結果、気筒３内に滞留したガスに含まれる水蒸気成分は燃料噴射装置１０より低温の他の周辺部品に結露することとなるので、燃料噴射装置１０への結露を防止し、燃料噴射装置１０の腐食を防止できる。
【００３６】
また、本発明のエンジン１では、制御装置４０が、エンジン１のアイドル運転状態の連続時間ｔｉが予め設定したアイドル連続時間閾値ｔｉｃ以上であるときに、グロープラグ１１を作動開始させるとともに、グロープラグ１１の作動開始後に、予め設定した第３設定時間ｔ３を経過するときに、グロープラグ１１を停止させる制御を行うように構成してもよい。アイドル連続時間閾値ｔｉｃ及び第３設定時間ｔ３は、それぞれ、実験等により最適値に設定されるが、例えば、アイドル連続時間閾値ｔｉｃは数秒〜数十秒、第３設定時間ｔ３は数秒〜数十秒に設定するのが好ましい。なお、アイドル運転状態の連続時間ｔｉのカウントはアイドル運転の開始で開始される。また、アイドル運転状態の連続時間ｔｉはアイドル運転の停止でゼロにリセットされると共に、上記制御でグロープラグ１１の作動を停止した後に、アイドル運転状態の連続時間ｔｉはゼロにリセットする。
【００３７】
この制御装置４０が行う制御を制御フローの形で表すと、図４に示す制御フローのようになる。この制御フローは、エンジン１の運転中に予め設定した制御時間が経過する度に上級の制御フローより呼ばれてスタートする制御フローである。
【００３８】
図４の制御フローがスタートすると、ステップＳ１０にて、エンジン１のアイドル運転状態の連続時間ｔｉがアイドル連続時間閾値ｔｉｃ以上であるか否かを判定する。エンジン１のアイドル運転状態の連続時間ｔｉがアイドル連続時間閾値ｔｉｃ以上である場合（ＹＥＳ）には、ステップＳ２０に進み、ステップＳ２０にて、グロープラグ１１を作動開始させる。作動開始後、ステップＳ３０に進む。一方、エンジン１のアイドル運転状態の連続時間ｔｉがアイドル連続時間閾値ｔｉｃ未満である場合（ＮＯ）には、リターンに進んで、本制御フローを終了する。
【００３９】
ステップＳ１０からステップＳ２０を経由してステップＳ３０に進んだ場合、ステップＳ３０にて、グロープラグ１１の作動開始後に、予め設定した第３設定時間ｔ３を経過したか否か、すなわち、グロープラグ１１の作動時間が第３設定時間（所定時間）ｔ３を経過したか否かを判定する。グロープラグ１１の作動時間が第３設定時間ｔ３を経過していない場合（ＮＯ）には、グロープラグ１１の作動を継続し、その後、再度ステップＳ３０の判定を行う。グロープラグ１１の作動時間が第３設定時間ｔ３を経過した場合（ＹＥＳ）には、ステップＳ４０に進み、ステップＳ４０にて、グロープラグ１１の作動を停止する。また、アイドル運転状態の連続時間ｔｉをゼロにリセットする。作動停止後は、リターンに進んで、本制御フローを終了する。
【００４０】
なお、グロープラグ１１の作動時間が第３設定時間ｔ３を経過する前に、アイドル運転状態から通常運転状態に移行した場合には、グロープラグ１１の作動を停止して、エネルギーの効率的な利用を図ってもよい。
【００４１】
この構成によれば、配達車両や冷蔵設備を備えた車両やＰＴＯを備えた車両などで、エンジン１のアイドル運転状態が、例えば、１，０００ｓ〜２，０００ｓ等の長時間連続したときに、エンジン１の温度や燃料噴射装置１０の温度が低くなるとして、グロープラグ１１を作動させて、グロープラグ１１により燃料噴射装置１０を加熱して昇温させるので、燃料噴射装置１０の温度が他の周辺部品よりも低温となるのを抑制することができる。その結果、気筒３内に滞留したガスに含まれる水蒸気成分は燃料噴射装置１０より低温の他の周辺部品に結露することとなるので、燃料噴射装置１０への結露を防止し、燃料噴射装置１０の腐食を防止できる。
【００４２】
また、本発明のエンジン１では、制御装置４０が、エンジン１の停止後、グロープラグ１１を予め設定した設定回数Ｃ作動させるとともに、この設定回数Ｃの各回のグロープラグ１１の作動時間ｔｋ（ｋ＝１、２・・・、ｎ）と設定回数Ｃを、エンジン１の停止直前におけるエンジン回転数、燃料噴射量、吸気温度、燃料温度及びエンジン冷却水（冷却媒体）Ｗの温度の内、１つ以上のパラメータに基づいて算出する制御を行うように構成してもよい。言い換えれば、エンジン１の停止直前における、エンジン１の運転状態を表すパラメータである、エンジン回転数、燃料噴射量、吸気温度、燃料温度及びエンジン冷却水Ｗの温度の内、１つ以上のパラメータに基づいて、エンジン１の停止後に必要となるグロープラグ１１の作動回数（設定回数）Ｃと各回の作動時間ｔｋを算出して、エンジン１の停止後にこの算出した設定回数Ｃと作動時間ｔｋだけグロープラグ１１を作動させる。
【００４３】
このエンジン停止時はエンジン回転数がゼロになった時点や、シフトレバーがパーキングに入った時点などで確定することができる。一方、このエンジン停止直前の時点は、このエンジン停止の時刻から予め設定された時間分遡った時点として定義される。このエンジン停止直前の時点は、燃料噴射装置１０の噴射口１０ａの温度低下の傾向を決定づける時点に設定され、具体的な時間は予め行われた実験の結果等により設定される。
【００４４】
なお、エンジン回転数はエンジン回転数検出センサ（図示しない）により計測される。また、燃料噴射量はエンジン回転数や吸気流量等のパラメータを基に算出される。また、吸気温度はエンジン１の吸気通路に備えた吸気温度センサ（図示しない）により計測される。また、燃料温度は燃料温度センサ（図示しない）により計測される。これらの計測または算出は周知の技術であるので、ここでは詳細な説明を省略する。これらのパラメータの値を、ある程度の時間の長さ分を逐次記憶して置き換えていくことで、エンジン１の停止後に、予め設定された時間分遡った時点のパラメータのデータを呼び出すことで、エンジン停止直前の時点のパラメータのデータを容易に入手できる。
【００４５】
また、設定回数Ｃと作動時間ｔｋは、それぞれ、実験等により最適値に設定されるが、例えば、設定回数Ｃは数回、作動時間ｔｋは数秒〜数十秒に設定するのが好ましい。
【００４６】
この制御装置４０が行う制御を制御フローの形で表すと、図５に示す制御フローのようになる。この制御フローは、エンジン１の運転中に予め設定した制御時間が経過する度に上級の制御フローより呼ばれてスタートする制御フローである。
【００４７】
図５の制御フローがスタートすると、ステップＳ１０にて、エンジン１が現時点から予め設定した停止猶予時間閾値ｔｅ内に停止するか否か、すなわち、エンジン１が近時中に停止するか否かを判定する。エンジン１が近時中に停止すると判定した場合（ＹＥＳ）には、ステップＳ２０に進み、ステップＳ２０にて、エンジン１の停止後に必要となるグロープラグ１１の作動回数（設定回数）Ｃと作動時間ｔｋを算出する。算出後、ステップＳ３０に進む。一方、エンジン１が近時中に停止しないと判定した場合（ＮＯ）には、リターンに進んで、本制御フローを終了する。
【００４８】
ステップＳ１０からステップＳ２０を経由してステップＳ３０に進んだ場合、ステップＳ３０にて、エンジン１が停止したか否かを判定する。エンジン１が停止していない場合（ＮＯ）は、その後、再度ステップＳ３０の判定を行う。一方、エンジン１が停止した場合（ＹＥＳ）は、ステップＳ４０に進み、ステップＳ４０にて、グロープラグ１１を作動させる。このグロープラグ１１の作動は、ステップＳ２０で算出した設定回数Ｃと作動時間ｔｋだけ行う。グロープラグ１１の作動後、ステップＳ５０に進む。
【００４９】
ステップＳ５０にて、グロープラグ１１の作動がステップＳ２０で算出した設定回数Ｃと作動時間ｔｋ分完了したか否かを判定する。グロープラグ１１の作動が完了していない場合（ＮＯ）は、その後、再度ステップＳ５０の判定を行う。一方、グロープラグ１１の作動が完了した場合（ＹＥＳ）は、ステップＳ６０に進み、ステップＳ６０にて、グロープラグ１１の作動を停止させる。作動停止後は、リターンに進んで、本制御フローを終了する。
【００５０】
なお、グロープラグ１１の作動時間が設置回数Ｃを経過する前に、エンジン１０が運転を開始した場合には、グロープラグ１１の作動を停止して、エネルギーの効率的な利用を図ってもよい。
【００５１】
この構成によれば、エンジン回転数等のエンジン運転状態を表すパラメータにより、エンジン停止直前のエンジン運転状態を基にして、エンジン１の停止後に、燃料噴射装置１０への結露を防止するために必要な熱量を供給することが可能となるグロープラグ１１の作動時間ｔｋ及び設定回数Ｃを算出するので、燃料噴射装置１０の温度を他の周辺部品よりも高温に維持することができ、燃料噴射装置１０への結露を防止し、燃料噴射装置１０の腐食を防止できる。
【００５２】
なお、エンジン１の停止後のグロープラグ１１の各回の作動時間ｔｋは、常時一定（ｔ１＝ｔ２＝・・・＝ｔｎ）でもよいし、回数を重ねるにつれて短くなる（ｔ１＞ｔ２＞・・・＞ｔｎ）等変動するようにしてもよい。各回の作動時間ｔｋを常時一定とする場合は、制御が簡素化されて、制御装置４０への負担が少なくなる。また、各回の作動時間ｔｋを変動させる場合は、燃料噴射装置１０の温度を緻密に制御するため、良好なエネルギー効率で、燃料噴射装置１０の温度を他の周辺部品よりも高温に確実に維持することができる。その結果、燃料噴射装置１０への結露を確実に防止し、燃料噴射装置１０の腐食を確実に防止できる。
【００５３】
また、上記の制御では、エンジン１の停止後にグロープラグ１１の作動を断続的に行うが、グロープラグ１１の停止後から次の作動までの間隔、すなわち、グロープラグ１１の作動間隔Δｔｌ（ｌ＝１、２、・・・、ｎ−１）は、常時一定（Δｔ１＝Δｔ２＝・・・＝Δｔ（ｎ−１））でもよいし、回数を重ねるにつれて長くなる（Δｔ１＜Δｔ２＜・・・＜Δｔ（ｎ−１））等変動するようにしてもよい。作動間隔Δｔｌを常時一定とする場合は、制御が簡素化されて、制御装置４０への負担が少なくなる。また、作動間隔Δｔｌを変動させる場合は、燃料噴射装置１０への温度を緻密に制御するため、燃料噴射装置１０の温度を他の周辺部品よりも高温に確実に維持することができる。その結果、燃料噴射装置１０への結露を確実に防止し、燃料噴射装置１０の腐食を確実に防止できる。
【符号の説明】
【００５４】
１  エンジン（内燃機関）
２  シリンダヘッド
５  燃焼室
１０  燃料噴射装置
１１  グロープラグ
２０ａ、２０ｂ  熱放射伝熱用空間
４０  制御装置
Ｃ  設定回数
Ｆ  燃料
Ｔｗ  冷却媒体用温度センサの検出値
Ｔ１  設定温度閾値
ｔ１  第１設定時間
ｔ２  第２設定時間
ｔ３  第３設定時間
ｔｅ  停止猶予時間閾値
ｔｉ  アイドル運転状態の連続時間
ｔｉｃ  アイドル連続時間閾値
ｔｋ  グロープラグの各回の作動時間
Ｗ  エンジン冷却水（冷却媒体）
【図１】
2018080603.tif 000003
【図２】
2018080603.tif 000004
【図３】
2018080603.tif 000005
【図４】
2018080603.tif 000006
【図５】
2018080603.tif 000007